【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
スイッチング電力コンバータにおいてＤＣバス回路からリップルエネルギーを蓄積するためのリップルフィルタ回路であって、
第１のＤＣバスノードに接続される第１の端子と、スイッチングノードに接続される第２の端子と、第１のスイッチング制御信号を受け取るように結合される第１の制御端子とを含む、第１のスイッチと、
前記スイッチングノードに接続される第１の端子と、第２のＤＣバスノードに接続される第２の端子と、第２のスイッチング制御信号を受けるように結合される第２の制御端子とを含む、第２のスイッチと、
前記スイッチングノードに接続される第１の端子と、第２のノードに接続される第２の端子とを含む、インダクタと、
前記第２のノードに接続される第１の端子と、前記第１及び第２のＤＣバスノードのうちの一方に接続される第２の端子とを含む、蓄積コンデンサと、
前記蓄積コンデンサを横切る正電圧が前記第１のＤＣバスノードと前記第２のＤＣバスノードとの間のＤＣバス電圧を超えるときに、前記蓄積コンデンサから前記ＤＣバス回路のＤＣバスコンデンサに電流を導通させるように、前記第２のノードに接続されるアノードと、前記第１のＤＣバスノードに接続されるカソードとを含む、第１のダイオードと、
前記蓄積コンデンサを横切る前記電圧が負であるときに、前記蓄積コンデンサの前記第２の端子からの電流を導通させるように、前記第２のＤＣバスノードに接続されるアノードと、前記第２のノードに接続されるカソードとを含む、第２のダイオードと、
前記ＤＣバスコンデンサと前記蓄積コンデンサとの間のリップルエネルギーの伝送の間に第１の値と一層高い第２の値との間のインダクタ電流の絶対値のヒステリシス制御を提供するために、前記インダクタを流れるインダクタ電流の絶対値を表す信号に従って前記第１のスイッチング制御信号又は前記第２のスイッチング制御信号を選択的にイネーブルするための電流制御回路を含む、制御回路であって、交互に、前記ＤＣバスコンデンサから前記蓄積コンデンサにリップルエネルギーを伝送し、その後、前記蓄積コンデンサから前記ＤＣバスコンデンサにリップルエネルギーを伝送するように、前記第１及び第２のスイッチを動作させるために、前記第１のスイッチング制御信号を前記第１の制御端子に提供し、前記第２のスイッチング制御信号を前記第２の制御端子に提供する、前記制御回路と、
を含む、リップルフィルタ回路。
【請求項２】
請求項１に記載のリップルフィルタ回路であって、
前記制御回路が、前記ＤＣバス回路のリップル電圧を表す第２の信号を提供するように、前記ＤＣバス電圧を表す第１の信号をフィルタするためのフィルタ回路を含む電圧制御回路を更に含み、
前記電圧制御回路が、前記ＤＣバス回路のリップル電圧をレギュレートするために、前記第２の信号が第１の閾値を越えることに応答して前記第１及び第２のスイッチング制御信号のうちの一方を選択的にイネーブルし、前記第２の信号が第２の閾値より低くなることに応答して前記第１及び第２のスイッチング制御信号のうちの他方を選択的にイネーブルするドライバ回路を更に含む、リップルフィルタ回路。
【請求項３】
請求項２に記載のリップルフィルタ回路であって、
前記電圧制御回路が、前記ＤＣバス電圧が上側閾値を超えることに応答して前記ＤＣバスコンデンサから前記蓄積コンデンサにリップルエネルギーを選択的に伝送し、前記ＤＣバス電圧が下側閾値より低くなることに応答して前記蓄積コンデンサから前記ＤＣバスコンデンサにリップルエネルギーを選択的に伝送するように、前記第１及び第２のスイッチング制御信号を選択的に提供することによって前記ＤＣバス回路の前記リップル電圧を制御する、リップルフィルタ回路。
【請求項４】
請求項１に記載のリップルフィルタ回路であって、
前記制御回路が、前記ＤＣバス電圧が上側閾値を超えることに応答して前記ＤＣバスコンデンサから前記蓄積コンデンサにリップルエネルギーを選択的に伝送し、前記ＤＣバス電圧が下側閾値より低くなることに応答して前記蓄積コンデンサから前記ＤＣバスコンデンサにリップルエネルギーを選択的に伝送するように、前記第１及び第２のスイッチング制御信号を選択的に提供することによって前記ＤＣバス回路の前記リップル電圧を制御する、リップルフィルタ回路。
【請求項５】
スイッチング電力コンバータであって、
第１のＤＣバスノードと、第２のＤＣバスノードと、前記第１のＤＣバスノードと前記第２のＤＣバスノードとの間に接続されるＤＣバスコンデンサとを含むＤＣバス回路と、
前記ＤＣバス回路をＡＣ負荷又はＡＣ電源とインターフェースするために複数のスイッチングデバイスを含むスイッチング回路と、
前記ＤＣバス回路のリップル電圧をレギュレートするために、前記ＤＣバス回路からのリップルエネルギーを蓄積するためのリップルフィルタ回路であって、
前記第１のＤＣバスノードとスイッチングノードとの間に接続される第１のスイッチと、
前記スイッチングノードと前記第２のＤＣバスノードとの間に接続される第２のスイッチと、
前記スイッチングノードと第２のノードとの間に接続されるインダクタと、
前記第２のノードと前記第１及び第２のＤＣバスノードのうちの一方との間に接続される蓄積コンデンサと、
前記第２のノードに接続されるアノードと、前記第１のＤＣバスノードに接続されるカソードとを含む第１のダイオードと、
前記第２のＤＣバスノードに接続されるアノードと、前記第２のノードに接続されるカソードとを含む第２のダイオードと、
前記ＤＣバス回路のリップル電圧をレギュレートするために、前記ＤＣバスコンデンサから前記蓄積コンデンサにリップルエネルギーを選択的に伝送し、その後、前記蓄積コンデンサから前記ＤＣバスコンデンサにリップルエネルギーを伝送するように、前記第１及び第２のスイッチを制御するために結合される制御回路であって、前記ＤＣバスコンデンサと前記蓄積コンデンサとの間のリップルエネルギーの伝送の間に、第１の値と一層高い第２の値との間のインダクタ電流の絶対値のヒステリシス制御を提供するために、前記インダクタを流れるインダクタ電流の絶対値を表す信号に従って前記第１及び第２のスイッチの動作を選択的にイネーブルするための電流制御回路を含む、前記制御回路と、
を含む、前記リップルフィルタ回路と、
を含む、スイッチング電力コンバータ。
【請求項６】
請求項５に記載のスイッチング電力コンバータであって、
前記ＤＣバスコンデンサが無電解である、スイッチング電力コンバータ。
【請求項７】
請求項５に記載のスイッチング電力コンバータであって、
前記スイッチング回路が、ＡＣ負荷を駆動するために前記ＤＣバス回路からの電力を変換するためのスイッチングインバータである、スイッチング電力コンバータ。
【請求項８】
請求項５に記載のスイッチング電力コンバータであって、
前記制御回路が、前記ＤＣバス回路のリップル電圧を表す第２の信号を提供するために、前記ＤＣバス電圧を表す第１の信号をフィルタするためのフィルタ回路を含む電圧制御回路を更に含み、
前記電圧制御回路が、前記ＤＣバス回路の前記リップル電圧をレギュレートするために、前記第２の信号が第１の閾値を越えることに応答して前記第１及び第２のスイッチのうちの一方を選択的に動作させ、前記第２の信号が第２の閾値より低くなることに応答して前記第１及び第２のスイッチのうちの他方を選択的に動作させるためのドライバ回路を更に含む、スイッチング電力コンバータ。
【請求項９】
請求項８に記載のスイッチング電力コンバータであって、
前記電圧制御回路が、前記ＤＣバス電圧が上側閾値を超えることに応答して前記ＤＣバスコンデンサから前記蓄積コンデンサにリップルエネルギーを選択的に伝送し、前記ＤＣバス電圧が下側閾値より低くなることに応答して前記蓄積コンデンサから前記ＤＣバスコンデンサにリップルエネルギーを選択的に伝送するように、前記第１及び第２のスイッチの動作を制御することによって前記ＤＣバス回路の前記リップル電圧を制御する、スイッチング電力コンバータ。
【請求項１０】
請求項５に記載のスイッチング電力コンバータであって、
前記制御回路が、前記ＤＣバス電圧が上側閾値を超えることに応答して前記ＤＣバスコンデンサから前記蓄積コンデンサにリップルエネルギーを選択的に伝送し、前記ＤＣバス電圧が下側閾値より低くなることに応答して前記蓄積コンデンサから前記ＤＣバスコンデンサにリップルエネルギーを選択的に伝送するように、前記第１及び第２のスイッチの動作を制御することによって前記ＤＣバス回路の前記リップル電圧を制御する、スイッチング電力コンバータ。
【請求項１１】
スイッチング電力コンバータのＤＣバス回路においてリップル電圧を制御するための方法であって、
第１及び第２のスイッチを前記ＤＣバス回路の第１のＤＣバスノードと第２のＤＣバスノードとの間で互いに直列に接続することと、
前記第１及び第２のスイッチを接合するスイッチングノードにインダクタの第１の端子を接続することと、
前記インダクタの第２の端子と前記第１及び第２のＤＣバスノードのうちの一方との間に蓄積コンデンサを接続することと、
前記ＤＣバス回路の前記リップル電圧をレギュレートするために、交互に、前記ＤＣバス回路のＤＣバスコンデンサから前記インダクタを介して前記蓄積コンデンサにリップルエネルギーを伝送し、その後、前記蓄積コンデンサから前記インダクタを介して前記ＤＣバスコンデンサにリップルエネルギーを伝送するように、前記第１及び第２のスイッチを制御することと、
前記ＤＣバスコンデンサと前記蓄積コンデンサとの間のリップルエネルギーの伝送の間に、第１の値と一層高い第２の値との間のインダクタ電流の絶対値のヒステリシス制御を提供するために、前記インダクタを流れるインダクタ電流の絶対値を表す信号に従って前記第１及び第２のスイッチの動作を選択的にイネーブルすることと、
前記ＤＣバス回路のリップル電圧を表す第２の信号を提供するために、前記ＤＣバス回路のＤＣバス電圧を表す第１の信号をフィルタすることと、
前記ＤＣバス回路の前記リップル電圧をレギュレートするために、前記第２の信号が第１の閾値を越えることに応答して前記第１及び第２のスイッチのうちの一方を選択的に動作させ、前記第２の信号が第２の閾値より低くなることに応答して前記第１及び第２のスイッチのうちの他方を選択的に動作させることと、
を含む、方法。